(57)【要約】【課題】  情報提供側において指定した時刻でファイルを起動させる。【解決手段】  ファイルを起動させるタイミングを制御する携帯端末装置であって、起動時刻が設定され、動画データ、静止画データまたは音声データを含むファイルを格納する格納部（３）と、時刻データに基づいて、前記ファイルに設定されている起動時刻に到達したかどうかを判定する判定部（４）と、前記判定の結果、前記起動時刻に到達した場合、前記格納部（３）から前記ファイルを読み出して起動および実行する実行部（５）と、を備え、放送局のＴＶ番組が開始する通知などの報知をユーザに対して有効に行なう。【選択図】  図１
2006148844.tif 000002
【特許請求の範囲】
【請求項１】
ファイルを起動させるタイミングを制御する携帯端末装置であって、
起動時刻が設定され、動画データ、静止画データまたは音声データを含むファイルを格納する格納部と、
時刻データに基づいて、前記ファイルに設定されている起動時刻に到達したかどうかを判定する判定部と、
前記判定の結果、前記起動時刻に到達した場合、前記格納部から前記ファイルを読み出して起動および実行する実行部と、を備えることを特徴とする携帯端末装置。
【請求項２】
無線を介して前記時刻データおよびファイルを受信する受信部を更に備えることを特徴とする請求項１記載の携帯端末装置。
【請求項３】
音声を出力する音声出力部と、
画像を表示する画像表示部と、を備え、
前記ファイル実行時に、前記音声出力部により音声が出力され、または前記画像表示部により静止画または動画が表示されることを特徴とする請求項１または請求項２記載の携帯端末装置。
【請求項４】
前記ファイルには、起動を制限する起動制限時刻が設定され、
前記判定部は、前記時刻データに基づいて、前記ファイルに設定されている起動制限時刻に到達したかどうかを判定し、
前記実行部は、前記判定の結果、前記起動制限時刻に到達した場合は、前記ファイルの起動を行なわないことを特徴とする請求項１から請求項３のいずれかに記載の携帯端末装置。
【請求項５】
前記ファイルが実行されたことを示すデータ、または前記ファイルが実行されなかったことを示すデータを管理情報として記憶する記憶部と、
前記記憶された管理情報を前記ファイルの送信元へ送信する送信部と、を備えることを特徴とする請求項１から請求項４のいずれかに記載の携帯端末装置。
【請求項６】
ファイルを起動させるタイミングを制御するプログラムであって、
起動時刻が設定され、動画データ、静止画データまたは音声データを含むファイルを格納する処理と、
時刻データに基づいて、前記ファイルに設定されている起動時刻に到達したかどうかを判定する処理と、
前記判定の結果、前記起動時刻に到達した場合、前記格納されている前記ファイルを読み出す処理と、
前記読み出したファイルを起動および実行する処理と、を含む一連の処理をコンピュータ読み取り、実行可能にコマンド化させたことを特徴とするプログラム。
【発明の詳細な説明】
【技術分野】
【０００１】  本発明は、ファイルを起動させるタイミングを制御する携帯端末装置およびプログラムに関する。
【背景技術】
【０００２】  従来から、通信ネットワークを介してサーバからファイルをダウンロードする技術や、Ｐｕｓｈ型配信のように、情報提供側からファイルを端末装置へ送信する技術が知られている。このＰｕｓｈ型配信では、情報提供側からファイルを送信した時刻とほぼ同時刻にユーザ側の端末装置でそのファイルが受信されるので、リアルタイムでファイルを配信することができる。【０００３】  また、例えば、特開２００２−１９０８４７号公報には、通信端末装置に搭載された情報取得のためのアプリケーションを起動させるためのアプリケーション起動制御方法が開示されている。この制御方法では、通信端末装置に搭載されるアプリケーションを起動すべき時間的条件を管理し、現在が上記時間的条件を満足するか否かを判定し、現在が上記時期的条件を満足すると判定したときに、上記アプリケーションに起動をかけて、情報を取得する。これにより、利用者が特に気をつけなくても、所定のタイミングでより確実に通信端末装置に搭載された情報取得のためのアプリケーションを起動できるようにしている。
【特許文献１】特開２００２−１９０８４７号公報
【発明の開示】
【発明が解決しようとする課題】
【０００４】  しかしながら、従来の技術では、上記のようにダウンロードしたファイルは、ダウンロード終了直後にユーザによって起動されることが可能となっており、ダウンロードしたファイルを指定された時刻に起動させたり、アラームを起動させたりすることはできない。また、Ｐｕｓｈ型配信では、通信トラフィックが大きく、遅延が問題となる場合は、通信トラフィックが閑散となる時間帯にＰｕｓｈ型配信を行なう必要がある。しかし、このような配信では、ユーザに対して所望の時刻に情報を告知することができない。また、Ｐｕｓｈ型配信を行なったとしても、当該ファイルがユーザに起動されずに削除されてしまう場合もある。さらに、Ｐｕｓｈ型配信のリアルタイム性を重視して、通信トラフィックが大きい状況でファイルを送信する場合には、大容量のファイルを送信することは難しく、ファイルの容量が小さいものに限定せざるを得ない。【０００５】  また、特許文献１に開示されているアプリケーション起動制御方法では、単にアプリケーションの起動を時間で管理するのみであって、起動したアプリケーションによってＷＥＢサイトから必要な情報をダウンロードする点に特徴を有するものである。従って、通信トラフィックが大きい場合の問題を何ら解決するものではない。【０００６】  本発明は、このような事情に鑑みてなされたものであり、情報提供側において指定した時刻でファイルを起動させることができる携帯端末装置およびプログラムを提供することを目的とする。
【課題を解決するための手段】
【０００７】  （１）上記の目的を達成するため、本発明は、以下のような手段を講じた。すなわち、本発明に係る携帯端末装置は、ファイルを起動させるタイミングを制御する携帯端末装置であって、起動時刻が設定され、動画データ、静止画データまたは音声データを含むファイルを格納する格納部と、時刻データに基づいて、前記ファイルに設定されている起動時刻に到達したかどうかを判定する判定部と、前記判定の結果、前記起動時刻に到達した場合、前記格納部から前記ファイルを読み出して起動および実行する実行部と、を備えることを特徴としている。【０００８】  このように、時刻データに基づいて、ファイルに設定されている起動時刻に到達したかどうかを判定し、その判定の結果、起動時刻に到達した場合、格納部からファイルを読み出して起動および実行するので、放送局のＴＶ番組が開始する通知などの報知をユーザに対して有効に行なうことができる。また、予め複数の携帯端末装置内に放送番組のデータを格納しておき、所定の時刻になったら一斉に起動させることによって、擬似放送を実現することができる。また、ファイル実行時には通信を行なわないため、通信トラフィックの問題が発生しない。ファイルを受信した後は、本携帯端末装置が通信圏外に存在していてもファイルの実行ができるので、必要な情報を所望の時刻において、確実にユーザへ提供することが可能となる。【０００９】  （２）また、本発明に係る携帯端末装置は、無線を介して前記時刻データおよびファイルを受信する受信部を更に備えることを特徴としている。【００１０】  このように、無線を介して時刻データを受信するため、基地局からの時刻データやＧＰＳ信号に含まれる時刻データを場所の如何に関わらず取得することができる。同様に、無線を介してファイルを受信するので、携帯電話機などの移動機で本発明を実現することができる。【００１１】  （３）また、本発明に係る携帯端末装置は、音声を出力する音声出力部と、画像を表示する画像表示部と、を備え、前記ファイル実行時に、前記音声出力部により音声が出力され、または前記画像表示部により静止画または動画が表示されることを特徴としている。【００１２】  このように、音声出力部により音声が出力され、または画像表示部により静止画または動画が表示されるので、音声を出力することにより、アラームとして機能させることができる。また、動画や静止画を表示することにより、所定時刻になったことをユーザに対して視覚的に報知することが可能となる。【００１３】  （４）また、本発明に係る携帯端末装置は、前記ファイルには、起動を制限する起動制限時刻が設定され、前記判定部は、前記時刻データに基づいて、前記ファイルに設定されている起動制限時刻に到達したかどうかを判定し、前記実行部は、前記判定の結果、前記起動制限時刻に到達した場合は、前記ファイルの起動を行なわないことを特徴としている。【００１４】  このように、時刻データに基づいて、ファイルに設定されている起動制限時刻に到達したかどうかを判定し、起動制限時刻に到達した場合は、そのファイルは実行されないので、意味がなくなった報知を行なうことを回避することができる。例えば、ファイルが番組開始を報知するも��である場合に、その番組が終了する時刻を過ぎた場合は、そのファイルは意味の無いものとなるため、そのファイルの実行をしないのである。また、番組の放送時間の枠内で広告情報を表示することにより、番組と連動する広告を実現させることができる。【００１５】  （５）また、本発明に係る携帯端末装置は、前記ファイルが実行されたことを示すデータ、または前記ファイルが実行されなかったことを示すデータを管理情報として記憶する記憶部と、前記記憶された管理情報を前記ファイルの送信元へ送信する送信部と、を備えることを特徴としている。【００１６】  このように、管理情報がファイルの送信元へ送信されるので、ユーザによるファイルの閲覧状況を送信元（例えば、サーバ）で管理することができる。その結果、ユーザにとって、より有用なデータを含むファイルを生成するための指針とすることができる。【００１７】  （６）また、本発明に係るプログラムは、ファイルを起動させるタイミングを制御するプログラムであって、起動時刻が設定され、動画データ、静止画データまたは音声データを含むファイルを格納する処理と、時刻データに基づいて、前記ファイルに設定されている起動時刻に到達したかどうかを判定する処理と、前記判定の結果、前記起動時刻に到達した場合、前記格納されている前記ファイルを読み出す処理と、前記読み出したファイルを起動および実行する処理と、を含む一連の処理をコンピュータ読み取り、実行可能にコマンド化させたことを特徴としている。【００１８】  このように、時刻データに基づいて、ファイルに設定されている起動時刻に到達したかどうかを判定し、その判定の結果、起動時刻に到達した場合、格納されているファイルを読み出して起動および実行するので、放送局のＴＶ番組が開始する通知などの報知をユーザに対して有効に行なうことができる。また、予め複数の携帯端末装置内に放送番組のデータを格納しておき、所定の時刻になったら一斉に起動させることによって、擬似放送を実現することができる。また、ファイル実行時には通信を行なわないため、通信トラフィックの問題が発生しない。ファイルを受信した後は、本携帯端末装置が通信圏外に存在していてもファイルの実行ができるので、必要な情報を所望の時刻において、確実にユーザへ提供することが可能となる。
【発明の効果】
【００１９】  本発明によれば、時刻データに基づいて、ファイルに設定されている起動時刻に到達したかどうかを判定し、その判定の結果、起動時刻に到達した場合、格納部からファイルを読み出して起動および実行するので、放送局のＴＶ番組が開始する通知などの報知をユーザに対して有効に行なうことができる。また、予め複数の携帯端末装置内に放送番組のデータを格納しておき、所定の時刻になったら一斉に起動させることによって、擬似放送を実現することができる。また、ファイル実行時には通信を行なわないため、通信トラフィックの問題が発生しない。ファイルを受信した後は、本携帯端末装置が通信圏外に存在していてもファイルの実行ができるので、必要な情報を所望の時刻において、確実にユーザへ提供することが可能となる。【００２０】  また、無線を介して時刻データを受信するため、基地局からの時刻データやＧＰＳ信号に含まれる時刻データを場所の如何に関わらず取得することができる。同様に、無線を介してファイルを受信するので、携帯電話機などの移動機で本発明を実現することができる。【００２１】  また、音声出力部により音声が出力され、または画像表示部により静止画または動画が表示されるので、音声を出力することにより、アラームとして機能させることができる。また、動画や静止画を表示することにより、所定時刻になったことをユーザに対して視覚的に報知することが可能となる。【００２２】  また、時刻データに基づいて、ファイルに設定されている起動制限時刻に到達したかどうかを判定し、起動制限時刻に到達した場合は、そのファイルは実行されないので、意味がなくなった報知を行なうことを回避することができる。例えば、ファイルが番組開始を報知するものである場合に、その番組が終了する時刻を過ぎた場合は、そのファイルは意味の無いものとなるため、そのファイルの実行をしないのである。また、番組の放送時間の枠内で広告情報を表示することにより、番組と連動する広告を実現させることができる。【００２３】  また、管理情報がファイルの送信元へ送信されるので、ユーザによるファイルの閲覧状況を送信元（例えば、サーバ）で管理することができる。その結果、ユーザにとって、より有用なデータを含むファイルを生成するための指針とすることができる。
【発明を実施するための最良の形態】
【００２４】  本発明者は、通信トラフィックの問題を生じさせること無く、マルチメディア型ファイルを用いてアラーム機能を実現させる端末装置が従来存在していなかったことに着目し、サーバ装置から端末装置へ予め起動時刻が書き込まれたファイルを配信しておき、端末装置でその起動時刻と現在時刻とを照合することによって、マルチメディア型ファイルを用いてアラーム機能を実現させることができることを見出し、本発明をするに至った。【００２５】  すなわち、本発明は、起動時刻が設定され、動画データ、静止画データまたは音声データを含むファイルを格納する格納部と、時刻データに基づいて、前記ファイルに設定されている起動時刻に到達したかどうかを判定する判定部と、前記判定の結果、前記起動時刻に到達した場合、前記格納部から前記ファイルを読み出して起動および実行する実行部と、を備えることを特徴とする。【００２６】  これにより、本発明者は、通信トラフィックの問題を発生させること無く、放送局のＴＶ番組が開始する通知などの報知をユーザに対して有効に行なうことを可能とした。その結果、本携帯端末装置が通信圏外に存在していても必要な情報を所望の時刻において、確実にユーザへ提供することが可能となった。以下、本発明の実施の形態について、図面を参照して説明する。【００２７】  図１は、本実施の形態に係る携帯端末装置の概略構成を示すブロック図である。図１に示す携帯端末装置１では、送受信部２において無線を介してデータの送信および受信を行なう。送受信部２は、図示しない基地局装置とデータの送信および受信を行なう機能を有すると共に、通信衛星から送信されているＧＰＳ信号を受信する機能を有する。具体的には、送受信部２は、基地局装置との通信を行なうための通信アンテナ、ＧＰＳ信号を受信するＧＰＳ信号受信部、無線信号をデータに変換する受信回路およびデータを無線信号に変換する送信回路などから構成されている。【００２８】  このように、無線を介して時刻データを受信するため、基地局からの時刻データやＧＰＳ信号に含まれる時刻データを場所の如何に関わらず取得することができる。同様に、無線を介してファイルを受信するので、携帯電話機などの移動機で本発明を実現することができる。【００２９】  格納部３は、起動時刻が設定され、動画データ、静止画データまたは音声データを含むファイルを格納する。具体的には、格納部３は、ＲＡＭ、ＲＯＭ、ハードディスクなどから構成される。起動時刻が設定されたファイルは、例えば、後述するＴＡＲ（Ｔａｐｅ  Ａｒｃｈｉｖａｌ  ａｎｄ  Ｒｅｔｒｉｅｖａｌ  ｆｏｒｍａｔ）形式のファイル（以下、「ＴＡＲファイル」という。）が該当する。【００３０】  判定部４は、送受信部２が基地局またはＧＰＳ信号から取得した時刻データに基づいて、上記ファイルに設定されている起動時刻に到達したかどうかを判定する。具体的には、この判定部４は、ＣＰＵ、ＲＡＭ、およびＲＯＭなどから構成される。【００３１】  実行部５は、上記判定の結果、ファイルの起動時刻に到達した場合、格納部３からファイルを読み出して起動および実行する。具体的には、実行部５は、ＣＰＵ、ＲＡＭ、およびＲＯＭなどから構成される。【００３２】  音声���力部６は、入力された音声データを可聴音として出力する。具体的には、音声出力部６は、スピーカまたはヘッドホン端子から構成される。画像表示部７は、入力された動画または静止画の画像データを画面に表示する機能を有する。具体的には、画像表示部７は、液晶パネルやＰＤＰなどのディスプレイ装置から構成される。このように、音声出力部６により音声が出力され、または画像表示部７により静止画または動画が表示されるので、音声を出力することにより、アラームとして機能させることができる。また、動画や静止画を表示することにより、所定時刻になったことをユーザに対して視覚的に報知することが可能となる。【００３３】  操作部８は、ユーザの操作に基づいた入力信号を出力する機能を有する。具体的には、操作部８は、キーボードまたはプッシュ式のボタンなどから構成される。以上の各構成要素は、制御バス９を介して相互にデータを送受信する。【００３４】  本実施の形態では、ＴＡＲファイルを用いてマルチメディア型ファイルを配信するが、ＴＡＲファイルの構成例を図２に示す。ここで、「ＴＡＲ（Ｔａｐｅ  Ａｒｃｈｉｖａｌ  ａｎｄ  Ｒｅｔｒｉｅｖａｌ  ｆｏｒｍａｔ）」とは、複数のファイルを一つのファイルにまとめるアーカイブ形式の一つである。複数のファイルで構成されるソフトウェアの配布などに利用されている。図２に示すように、ＴＡＲファイルは、「ｉｎｄｅｘ．ｔｘｔ」、「ｃｏｎｆｉｇ．ｔｘｔ」、および「ｉｎｄｅｘ．ｓｍｉ」という３つのファイルを必須のファイルとして構成されている。「ｉｎｄｅｘ．ｔｘｔ」というファイルには、各種のメディアファイルが含まれている。例えば、ＧＩＦ、ＪＰＥＧ、ＰＮＧ、Ｃ−ＭＩＤＩ、ＳＭＡＦ、テキストなどの形式のファイルである。「ｃｏｎｆｉｇ．ｔｘｔ」というファイルには、アプリケーションの設定に関する情報が含まれている。また、「ｉｎｄｅｘ．ｓｍｉ」というファイルには、動画、静止画、音声、音楽、文字など様々な形式のデータの再生を制御する情報が含まれている。これらの３つのファイルのうち、いずれか一つでも欠けていたり、順序が誤っていたりすると再生ができない。また、ＴＡＲファイル内には、最大で２５５個のファイルを格納することができる。【００３５】  本実施の形態では、例えば、通常再生用のマルチメディア型ファイルとして「ｉｎｄｅｘ．ｓｍｉ」と、起動タイミングを制御して再生させるマルチメディア型ファイルとして「ａｂｃ．ｓｍｉ」と、この「ａｂｃ．ｓｍｉ」ファイルの起動時刻が書き込まれた「ｃｏｎｆｉｇ．ｔｘｔ」とからＴＡＲファイルを構成する。【００３６】  次に、以上のように構成された本実施の形態に係る携帯端末装置の動作について説明する。図３および図６は、本実施の形態に係る携帯端末装置の動作の概略を示すフローチャートであり、図４および図５は、本実施の形態に係る携帯端末装置の動作の概念図である。なお、図４および図５において、「矢印ｔ」は、時間の経過を示す。【００３７】  図４の左側に示すように、配信サーバ４１は、通信トラフィックが閑散となる深夜の時間帯に、携帯端末装置４２に対してコンテンツ（マルチメディア型ファイル）を含むＴＡＲファイル４３を配信する。このＴＡＲフ���イル４３の「ｃｏｎｆｉｇ．ｔｘｔ」ファイル内において、「２００４年３月３１日２２：００」に「ａｂｃ．ｓｍｉ」というファイルを起動するように起動時間が設定されている。また、このＴＡＲファイル４３には、「ａｂｃ．ｓｍｉ」のほか、「ｉｎｄｅｘ．ｓｍｉ」ファイルを通常再生ファイルとして含ませてある。【００３８】  携帯端末装置４２は、送受信部２によってＴＡＲファイル４３をダウンロードした後、図３に示すように、ファイルを格納部３に格納する際に、ＴＡＲファイル４３の「ｃｏｎｆｉｇ．ｔｘｔ」ファイルから起動情報（時刻）を読み出して（ステップＳ１）、実行部５の機能を発揮するアラームアプリケーションのセットを行なう。このアラームアプリケーションは、設定時刻に到達したら「ａｂｃ．ｓｍｉ」ファイルを起動させる機能を有するプログラムである。なお、上記のようなダウンロードが終了すると、画面４０には、「新着情報、更新番組１件」などの報知情報が表示される。【００３９】  次に、基地局との通信またはＧＰＳ信号の受信によって、現在時刻を取得する（ステップＳ２）。そして、アラームアプリケーションで設定した時刻のデータと現在時刻とを照合判定する（ステップＳ３）。すなわち、両者が一致するかどうかを判定し（ステップＳ４）、両者が一致しなかった場合は、ステップＳ２へ移行する。ここで、図４の右側または図５の左側に示すように、「ａｂｃ．ｓｍｉ」ファイルの起動時刻に到達していない場合は、ユーザの任意の操作に応じて通常再生として、「ｉｎｄｅｘ．ｓｍｉ」ファイルを再生してもよい。【００４０】  次に、図３のステップＳ４において、両者が一致した場合は、実行部５の機能を発揮するアラームアプリケーションにより、「ａｂｃ．ｓｍｉ」ファイルが起動する（ステップＳ５）。例えば、図５の右側に示すように、２２：００に到達したときに、それまで画面４０において通常再生がされていたコンテンツが中断し、例えば、「チャンネルお知らせ、１件」といった報知情報が表示された後、「ａｂｃ．ｓｍｉ」ファイルが起動してその内容が画面４０に表示される。このとき、同時に音声が出力されても良い。【００４１】  次に、ファイルの起動制限について図６を参照して説明する。本実施の形態では、上記ＴＡＲファイルの「ｃｏｎｆｉｇ．ｔｘｔ」において、「ａｂｃ．ｓｍｉ」ファイルの起動を制限する起動制限時刻を設定しても良い。このように、起動制限時刻が設定されている場合は、本実施の形態に係る携帯端末装置は、図６に示すフローチャートにように動作する。すなわち、図４に示すように、携帯端末装置４２は、送受信部２によってＴＡＲファイル４３をダウンロードした後、図６に示すように、ファイルを格納部３に格納する際に、ＴＡＲファイル４３の「ｃｏｎｆｉｇ．ｔｘｔ」ファイルから起動制限時刻を読み出して（ステップＴ１）、実行部５の機能を発揮するアラームアプリケーションのセットを行なう。次に、判定部４は、基地局またはＧＰＳ信号から現在時刻のデータを取得し（ステップＴ２）、起動制限時刻と、上記取得した時刻データとを照合判定する（ステップＴ３）。すなわち、現在時刻は起動制限時刻以降であるかどうかを判断し（ステップＴ４）、現在時刻が起��制限時刻以降でない場合は、ステップＴ２へ移行する。一方、現在時刻が起動制限時刻以降である場合は、当該「ａｂｃ．ｓｍｉ」ファイルの起動を禁止する（ステップＴ５）。【００４２】  このように、基地局またはＧＰＳ信号から取得した時刻データに基づいて、ファイルに設定されている起動制限時刻に到達したかどうかを判定し、起動制限時刻に到達した場合は、そのファイルは実行されないので、意味がなくなった報知を行なうことを回避することができる。例えば、ファイルが番組開始を報知するものである場合に、その番組が終了する時刻を過ぎた場合は、そのファイルは意味の無いものとなるため、そのファイルの実行をしないのである。また、番組の放送時間の枠内で広告情報を表示することにより、番組と連動する広告を実現させることができる。【００４３】  なお、ＴＡＲファイル４３中の「ａｂｃ．ｓｍｉ」または「ｉｎｄｅｘ．ｓｍｉ」ファイルが実行されたことを示すデータ、または上記各ファイルが実行されなかったことを示すデータを管理情報としてメモリ（格納部３または別個の記憶部）に記憶しておき、この管理情報を配信サーバ４１へ送信することも可能である。このように、管理情報がファイルの送信元へ送信されるので、ユーザによるファイルの閲覧状況を（例えば、配信サーバまたは他のサーバ）で管理することができる。その結果、ユーザにとって、より有用なデータを含むファイルを生成するための指針とすることができる。【００４４】  以上のような本発明の特徴的な動作は、プログラムを実行することによって行なわれる。すなわち、このプログラムは、ファイルを起動させるタイミングを制御するプログラムであって、起動時刻が設定され、動画データ、静止画データまたは音声データを含むＴＡＲファイル４３を格納部３に格納する処理と、基地局またはＧＰＳ信号から取得した時刻データに基づいて、ＴＡＲファイル４３の「ｃｏｎｆｉｇ．ｔｘｔ」ファイルに設定されている「ａｂｃ．ｓｍｉ」ファイルの起動時刻に到達したかどうかを判定する処理と、この判定の結果、上記起動時刻に到達した場合、格納部３に格納されているＴＡＲファイル４３中の「ａｂｃ．ｓｍｉ」ファイルを読み出す処理と、この読み出した「ａｂｃ．ｓｍｉ」ファイルを起動および実行する処理と、を含む一連の処理がコンピュータ読み取り、実行可能にコマンド化されることにより構成されている。【００４５】  このプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。【００４６】  以上説明したように、本実施の形態に係る携帯端末装置によれば、基地局またはＧＰＳ信号から取得した時刻データに基づいて、ファイルに設定されている起動時刻に到達したかどうかを判定し、その判定の結果、起動時刻に到達した場合、格納部からファイルを読み出して起動および実行するので、放送局のＴＶ番組が開始する通知などの報知をユーザに対して有効に行なうことができる。また、予め複数の携帯端末装置内に放送番組のデータを格納しておき、所定の時刻になったら一斉に起動させることによって、擬似放送を実現することができる。また、ファイル実行時には通信を行なわないため、通信トラフィックの問題が発生しない。ファイルを受信した後は、本携帯端末装置が通信圏外に存在していてもファイルの実行ができるので、必要な情報を所望の時刻において、確実にユーザへ提供することが可能となる。
【図面の簡単な説明】
【００４７】
【図１】本実施の形態に係る携帯端末装置の概略構成を示すブロック図である。
【図２】ＴＡＲファイルの構成例を示す図である。
【図３】本実施の形態に係る携帯端末装置の動作の概略を示すフローチャートである。
【図４】本実施の形態に係る携帯端末装置の動作の概念を示す図である。
【図５】本実施の形態に係る携帯端末装置の動作の概念を示す図である。
【図６】本実施の形態に係る携帯端末装置の動作の概略を示すフローチャートである。
【符号の説明】
【００４８】１  携帯端末装置
２  送受信部
３  格納部
４  判定部
５  実行部
６  音声出力部
７  画像表示部
８  操作部
９  制御バス
４０  画面
４１  配信サーバ
４２  携帯端末装置
４３  ＴＡＲファイル
【図１】
2006148844.tif 000003
【図２】
2006148844.tif 000004
【図３】
2006148844.tif 000005
【図４】
2006148844.tif 000006
【図５】
2006148844.tif 000007
【図６】
2006148844.tif 000008